(57)【要約】【課題】低コストで製造することができるフィルター付きスライドグラスを提供する。【解決手段】微細透孔が形成されたフィルターと、前記フィルター上の細胞薄層が形成される領域に開口部を位置させ、前記フィルターの一方の面に張り付けられた第１板状部材と、前記第１板状部材の前記開口部に対応する位置に開口部を位置させ、前記フィルターの他方の面に張り付けられた第２板状部材とを備える。【選択図】  図２
2018169489.tif 000002
【特許請求の範囲】
【請求項１】
微細透孔が形成されたフィルターと、
前記フィルター上の細胞薄層が形成される領域に開口部を位置させ、前記フィルターの一方の面に張り付けられた第１板状部材と、
前記第１板状部材の前記開口部に対応する位置に開口部を位置させ、前記フィルターの他方の面に張り付けられた第２板状部材と
を備えるフィルター付きスライドグラス。
【請求項２】
前記第１板状部材及び前記第２板状部材は、樹脂製の板状部材である請求項１記載のフィルター付きスライドグラス。
【発明の詳細な説明】
【技術分野】
【０００１】
本発明は、プレパラートの作製に用いられるフィルター付きスライドグラスに関するものである。
【背景技術】
【０００２】
従来、顕微鏡により液状検体中の細胞を観察する場合には、フィルター付きスライドグラスを用いて作製されたプレパラートが用いられている（例えば、特許文献１参照）。フィルター付きスライドグラスを用いてプレパラートを作製する場合には、フィルター付きスライドグラスに形成されたフィルター上に液状検体を注ぐことにより、液状検体をフィルターで濾過し観察対象の細胞をフィルター上に収集する。
【先行技術文献】
【特許文献】
【０００３】
【特許文献１】特開平９−６１７２３号公報
【発明の概要】
【発明が解決しようとする課題】
【０００４】
ところで従来のフィルター付きスライドグラスは、ガラスやプラスチック等の光透過性の高い部材からなるスライドグラスにレーザー光、荷電粒子等を照射することによって微細な穴が均等に分布したフィルターを形成している。従ってフィルター付きスライドグラスの製造には、レーザー光照射装置等の高価な装置が必要となり、製造コストが高くなるという欠点があった。
【０００５】
本発明の目的は、低コストで製造することができるフィルター付きスライドグラスを提供することである。
【課題を解決するための手段】
【０００６】
本発明のフィルター付きスライドグラスは、微細透孔が形成されたフィルターと、前記フィルター上の細胞薄層が形成される領域に開口部を位置させ、前記フィルターの一方の面に張り付けられた第１板状部材と、前記第１板状部材の前記開口部に対応する位置に開口部を位置させ、前記フィルターの他方の面に張り付けられた第２板状部材とを備える。
【０００７】
本発明のフィルター付きスライドグラスは、前記第１板状部材及び前記第２板状部材は、樹脂製の板状部材である。
【発明の効果】
【０００８】
本発明によれば、低コストでフィルター付きスライドグラスを製造することができる。
【図面の簡単な説明】
【０００９】
【図１】実施の形態に係るフィルター付きスライドグラスの平面図である。
【図２】実施の形態に係るフィルター付きスライドグラスの断面図である。
【図３】実施の形態に係るフィルター付きスライドグラスの上部に液漏れ防止リングを密着させた状態を示す図である。
【図４】実施の形態に係るフィルター付きスライドグラスの上部に液漏れ防止リングを密着させた状態を示す断面図である。
【図５】実施の形態に係るフィルター付きスライドグラスを用いて作製したプレパラートの断面図である。
【発明を実施するための形態】
【００１０】
以下、図面を参照して、実施の形態に係るフィルター付きスライドグラスについて説明する。図１は実施の形態に係るフィルター付きスライドグラス２の平面図、図２は実施の形態に係るフィルター付きスライドグラス２の断面図（図１に示すＡ−Ａ断面図）である。図１及び図２に示すように本実施の形態に係るスライドグラス２は、ＰＥＴ樹脂等の樹脂製の矩形形状を有する第１板状部材４ａ及び第２板状部材４ｂと、第１板状部材４ａ及び第２板状部材４ｂ間に挟まれたフィルター６によって構成されている。
【００１１】
ここで第１板状部材４ａの略中央部には、矩形形状の開口部８ａが形成されている。また第２板状部材４ｂの略中央部には、第１板状部材４ａの開口部８ａと同様の矩形形状の開口部８ｂが形成されている。第１板状部材４ａはフィルター６の上面に張り付けられ、第２板状部材４ｂは開口部８ｂの位置を開口部８ａの位置に一致させてフィルター６の下面に張り付けられている。
【００１２】
フィルター６は、第１板状部材４ａと同様の大きさの矩形形状を有するプラスチックフィルター等の樹脂製のフィルターであって、全体に微細透孔が形成されている。従ってフィルター６は第１板状部材４ａの開口部８ａ及び第２板状部材４ｂの開口部８ｂを介して露出しており、この露出した領域に細胞薄層１２（図４参照）が形成される。
【００１３】
フィルター６の微細透孔の大きさは、１〜８ミクロンであることが望ましく、液状検体中の浮遊細胞の大きさに合わせた大きさの微細透孔を有するフィルター６を選択することで、浮遊細胞を確実に収集することができる。なおフィルター６は、樹脂製に限定されるものではなく、濾紙等であってもよい。
【００１４】
次に実施の形態に係るフィルター付きスライドグラス２を用いたプレパラートの作製について説明する。図３は実施の形態に係るフィルター付きスライドグラス２の上部に液漏れ防止リング１０を密着させた状態を示す図である。図４は実施の形態に係るフィルター付きスライドグラス２の上部に液漏れ防止リング１０を密着させた状態を示す断面図である。フィルター付きスライドグラス２を用いて胸水や腹水等の液状検体を濾過するとき、樹脂製の円筒形状を有する液漏れ防止リング１０を使用する。液漏れ防止リング１０は、液状検体が液漏れしないように下端部の開口を第１板状部材４ａの開口部８の位置に合わせ、第１板状部材４ａの上面に密着するように固定される。液漏れ防止リング１０の下端部の開口は、液漏れ防止リング１０を第１板状部材４ａの中央部に配置したときに、開口部８ａの周縁からはみ出ない大きさに形成されている。
【００１５】
液状検体は、第１板状部材４ａの上面に固定された液漏れ防止リング１０の上端部の開口１０ａに注入され、フィルター６によって濾過される。即ち液漏れ防止リング１０の開口１０ａに注入された液状検体は、開口１０ａ及び第１板状部材４ａの開口部８ａを通過してフィルター６上に落下し濾過される。そして図４に示すようにフィルター６の表面において、液状検体中の浮遊細胞が収集され細胞薄層１２が形成される。ここでは液状検体の濾過をフィルター６上の液状検体の自然落下によって行うようにするが、フィルター６の上方からの加圧を行うための加圧濾過器（不図示）又はフィルター６の下方からの陰圧吸引を行うための減圧濾過器（不図示）を用いて液状検体の濾過を促進させるようにしてもよい。
【００１６】
図５は実施の形態に係るフィルター付きスライドグラス２を用いて作製したプレパラート１４の断面図である。プレパラート１４は、フィルター付きスライドグラス２上の細胞薄層１２をカバーグラス１６の下に封入することにより作製することができる。即ちフィルター６における細胞薄層１２を覆うように封入剤１８を注入し、細胞薄層１２を封入剤１８と共にカバーグラス１６の下に封入する。
【００１７】
この実施の形態に係るフィルター付きスライドグラス２によれば、低コストで製造することができる。
【００１８】
また、第１板状部材４ａ及び第２板状部材４ｂが樹脂製の板状部材であるため、フィルター付きスライドグラス２が割れることを防止することができる。
【００１９】
また、フィルター６における細胞薄層１２を形成する領域が第１板状部材４ａの表面に対して窪んでいることにより、その領域１２内に浮遊細胞を溜めることができるため、容易に浮遊細胞の収集及び細胞薄層の形成を行うことができる。さらにその領域１２内への封入剤１８の注入を容易に行うことができるため、カバーガラス１６による細胞薄層１２の封入を容易に行うことができる。
【００２０】
なお、実施の形態に係るフィルター付きスライドグラス２において、第１板状部材４ａと第２板状部材４ｂを樹脂製の板状部材としたが、これに限定されるものではなくガラス材等により製作されたものであってもよい。
【符号の説明】
【００２１】
２…フィルター付きスライドグラス、４ａ…第１板状部材、４ｂ…第２板状部材、６…フィルター、８ａ，８ｂ…開口部。
【図１】
2018169489.tif 000003
【図２】
2018169489.tif 000004
【図３】
2018169489.tif 000005
【図４】
2018169489.tif 000006
【図５】
2018169489.tif 000007